(57)【特許請求の範囲】
【請求項１】
雨水浸透ますの収容部を形成するとともに、前記収容部を区画する内面と周囲の地盤に接する外面とを連通する空隙となる格子の目及び空隙を形成した格子状のブロックからなることを特徴とする雨水浸透設備用合成樹脂製充填部材。
【請求項２】
雨水浸透ますの収容部を形成するとともに、前記収容部を区画する内面と周囲の地盤に接する外面とを連通する空隙となる多数の透孔及び空隙を形成した筒状のブロックからなることを特徴とする雨水浸透設備用合成樹脂製充填部材。
【請求項３】
雨水浸透設備用合成樹脂製充填部材を複数個のブロックに分割して形成したことを特徴とする請求項１又は２記載の雨水浸透設備用合成樹脂製充填部材。
【請求項４】
隣接するブロックを相互に係止する係止部をブロックの接合面に形成したことを特徴とする請求項３記載の雨水浸透設備用合成樹脂製充填部材。
【発明の詳細な説明】
【０００１】
【発明の属する技術分野】
本発明は、雨水浸透ますを地盤中に埋設する際に、雨水浸透ますの下方を含む周囲に配設して使用される充填部材に関するものである。
【０００２】
【従来の技術】
近年、地表面の舗装化の進展や、地下水の汲み上げ量の増大等に伴い、都市部における地下水位の低下が著しく、また、これとは逆に、雨水が地下に浸透せずに下水に流入することにより、必要とされる下水処理能力や、下水処理コストの増加が著しくなっており、問題視されている。
【０００３】
ところで、地下水位の維持及び下水処理量の減少を目的として、雨水を地下に浸透させるようにした雨水浸透設備が、実用化されている。その一例を、図７に示す。
この雨水浸透設備は、雨水浸透ます２を使用したもので、周囲に多数の透孔２２を形成し、底部２３を開放するとともに、内部に補強リブ２４を形成した、合成樹脂製の筒状の雨水浸透ます本体２１を地盤６に埋設するに際し、まず、周囲の地盤６を所定の範囲及び深さに掘削して形成した掘削孔の底部に砂５を敷設し、その砂５の上面を含む掘削孔の内面に沿って土砂の侵入を防止する不織布等からなる透水シート３１を配設し、次に、透水シート３１の上（内側）に所定の厚さに砕石４を敷設し、少なくとも雨水浸透ます本体２１の底部２３が位置する部分に透水シート３２を配設し、透水シート３２の上面に雨水浸透ます本体２１をその上面が地表面と一致するように設置し、その後、雨水浸透ます本体２１の周囲に、所定の高さになるまで砕石４を充填し、その上面に透水シート３３を配設するとともに、透水シート３３の上を任意の土壌を用いて埋め戻すことにより構築したものである。
なお、雨水浸透ます本体２１の上部には、蓋体２５を配設し、また、中間部の適宜の位置には、雨水浸透設備の構築時、雨水を雨水浸透ます本体２１内に導入するための雨水導入管（図示省略）を、さらに、必要に応じて、雨水管よりも上部に、過剰な雨水を雨水浸透ます本体２１内から排出するための雨水排出管（図示省略）を連接するようにする。
【０００４】
【発明が解決しようとする課題】
上記の雨水浸透設備は、地下水位を維持し、下水処理量を減少させるために有効であるが、その実効性を高めるためには、広い範囲に多数の雨水浸透設備を分散して構築する必要がある。
しかしながら、上記の雨水浸透設備には、重量のある砕石や砂を用いるため、材料の取り扱いに難があるとともに、構築作業が重労働になるという問題点があった。
また、現場施工の部分がほとんどであるため、施工精度が一定せず、また、作業効率が低いという問題点があった。
【０００５】
上記の問題点に鑑み、本発明は、取り扱いが容易で、構築作業の労働負荷を軽減できるとともに、施工精度及び作業効率を向上することができる雨水浸透設備用合成樹脂製充填部材を提供することを目的とする。
【０００６】
【課題を解決するための手段】
上記目的を達成するため、本発明の雨水浸透設備用合成樹脂製充填部材は、雨水浸透ますの収容部を形成するとともに、前記収容部を区画する内面と周囲の地盤に接する外面とを連通する空隙となる格子の目及び空隙を形成した格子状のブロックからなること、又は雨水浸透ますの収容部を形成するとともに、前記収容部を区画する内面と周囲の地盤に接する外面とを連通する空隙となる多数の透孔及び空隙を形成した筒状のブロックからなることを特徴とする。
【０００７】
従来の砕石や砂に代えて用いられるこの雨水浸透設備用合成樹脂製充填部材は、取り扱いが容易で、このため、構築作業の労働負荷を軽減できるとともに、施工精度及び作業効率を向上することができる。
【０００８】
この場合において、雨水浸透設備用合成樹脂製充填部材の取り扱いをより容易にするために充填部材を複数個のブロックに分割して形成することができる。
なお、充填部材の分割方法は、縦割り、横割りのいずれでもよく、また、分割数も、充填部材の形状等に応じて、２分割、４分割等、任意の数、かつ任意の位置で分割することができる。
【０００９】
また、分割した雨水浸透設備用合成樹脂製充填部材を掘削孔内に正確に設置することができるように、隣接するブロックを相互に係止する係止部をブロックの接合面に形成することができる。
【００１０】
【発明の実施の形態】
以下、本発明の雨水浸透設備用合成樹脂製充填部材（以下、単に「充填部材」という。）の実施の形態を図面に基づいて説明する。
【００１１】
図１は、本発明の充填部材を用いた雨水浸透設備を示す。
この雨水浸透設備は、合成樹脂製雨水浸透ます２を使用したもので、周囲に多数の透孔２２を形成し、底部２３を開放するとともに、内部に補強リブ２４を形成した、合成樹脂製の筒状の雨水浸透ます本体２１を地盤６に埋設するに際し、まず、周囲の地盤６を所定の範囲及び深さに掘削して形成した掘削孔内に、必要に応じて土砂の侵入を防止する不織布等からなる透水シート３を周囲に配設した合成樹脂製の充填部材１を設置し、充填部材１の略中央部に形成した有底の収容部内に雨水浸透ます本体２１をその上面が地表面と一致するように設置し、透水シート３の上を任意の土壌を用いて埋め戻すことにより構築したものである。
透水シート３に用いる不織布等としては、例えば、厚さ２〜１０ｍｍ、重さ５０〜２００ｇ／ｍ２の合成繊維からなる不織布が、周囲の地盤６からの土砂の侵入防止性能、雨水の通過性及び耐腐食性の点で好ましい。
なお、雨水浸透ます本体２１の中間部の適宜の位置には、雨水浸透設備の構築時、雨水を雨水浸透ます本体２１内に導入するための雨水導入管（図示省略）を、さらに、必要に応じて、雨水管よりも上部に、過剰な雨水を雨水浸透ます本体２１内から排出するための雨水排出管（図示省略）を連接するようにする。
この場合、充填部材１にも、その対応する位置に、雨水導入管及び雨水排出管を挿通するための貫通孔（図示省略）を形成する。
【００１２】
充填部材１は、図２〜図５に概略的に示すように、種々の形態を採用することができるが、基本的に、充填部材本体１１の略中央部に雨水浸透ます本体２１の収容部１９を形成するとともに、この収容部１９を区画する内面１４と周囲の地盤６に接する外面１５とを連通する空隙１６を形成して構成され、雨水浸透ますに導入された雨水を、この充填部材の底面を含む周面から周囲の地盤中に浸透させることができるようにしている。
この場合、充填部材１は、周囲の地盤から受ける土圧に耐え得る強度を有するように構成する。
【００１３】
このうち、図２に示した充填部材１は、組み合わせたとき平面正方形の四角柱状となるように、これを縦割りに２分割したブロックからなる格子状の充填部材本体１１と、充填部材本体１１の略中央部に形成した雨水浸透ます本体２１の収容部１９の底部に配設する円柱状の底部材１２とで構成されている。
充填部材本体１１は、収容部１９を区画する内面１４と周囲の地盤６に接する外面１５とを、格子の目１１ａ及び空隙１６を介して連通するように構成している。
また、この格子状の充填部材本体１１は、周囲の地盤からの土圧に耐え得るように、格子を密に形成するか、又は各格子を太く形成し、その空隙率は、１５〜３０％程度に設定することが好ましい。
充填部材本体１１の外面１５（上面及び底面も同様。）に形成される格子の目１１ａの面積は、透水シート３が土圧を受けて充填部材本体１１内に入り込むのを防止するために、１．５〜１５ｃｍ２程度の大きさに設定することが好ましい。  なお、充填部材本体１１の外面１５（上面及び底面も同様。）に形成される格子の目１１ａの面積を上記の値よりも大きく形成し、充填部材本体１１と透水シート３との間に、１．５〜１５ｃｍ２程度の大きさの多数の透孔を有する板状部材を配設してもよい。
また、充填部材本体１１の底面は、無底又は有底のいずれでもよく、有底の場合には、必要に応じて、多数の透孔を形成することが望ましい。また、有底の場合の底は、充填部材本体１１と一体に形成しても、あるいは、別体に形成してもよい。
底部材１２は、縦方向に多数の透孔１２ａを形成して構成している。
なお、底部材１２は、充填部材本体１１と同様、格子状に形成することもできる。
【００１４】
また、図３に示した充填部材１は、組み合わせたとき平面正方形の四角柱状となるように、これを縦割りに２分割したブロックからなる筒状の充填部材本体１１と、充填部材本体１１の略中央部に形成した雨水浸透ます本体２１の収容部１９の底部に配設する円柱状の底部材１２と、充填部材本体１１の上面を閉鎖する蓋部材１３とで構成されている。
充填部材本体１１は、収容部１９を区画する内面１４と周囲の地盤６に接する外面１５とを、筒状の充填部材本体１１に形成した多数の透孔１１ｂ及び空隙１６を介して連通するように構成している。
充填部材本体１１の外面１５（底面及び蓋部材１３も同様。）に形成される透孔１１ｂの面積は、透水シート３が土圧を受けて充填部材本体１１内に入り込むのを防止するために、１．５〜１５ｃｍ２程度の大きさに設定することが好ましい。
充填部材本体１１には、その内部の空隙１６を仕切るように補強リブ１１ｃを形成するとともに、補強リブ１１ｃにも多数の透孔１１ｄを形成することが望ましい。
この補強リブ１１ｃは、充填部材本体１１が周囲の地盤からの土圧に耐え得るようにするためのもので、補強リブ１１ｃの厚み等の形状、数及び設ける位置等は、充填部材本体１１の形状等に応じて、任意に設定することができる。
蓋部材１３は、平面正方形の板体を２分割したもので、多数の透孔１３ａを形成して構成している。
この蓋部材１３は、分割せず、平面正方形の板体で構成したり、また、蓋部材１３を充填部材本体１１と一体に形成することもできる。
なお、充填部材本体１１の底面が無底又は有底のいずれでもよいこと及び底部材１２の構成等は、図２に示した充填部材１と同様である。
【００１５】
また、図４に示した充填部材１は、組み合わせたとき平面正方形の四角柱状となるように、これを縦割りに２分割したブロックからなる格子状の充填部材本体１１と、充填部材本体１１の底部に配設する平面正方形の四角柱状の底部材１７とで構成されている。
充填部材本体１１は、収容部１９を区画する内面１４と周囲の地盤６に接する外面１５とを、格子の目１１ａ及び空隙１６を介して連通するように構成している。
底部材１７は、補強リブ１７ｂを有する平面格子状に形成することにより、縦方向に多数の透孔１７ａが形成されるように構成している。
この場合において、底部材１７の高さＨは、任意に設定することができ、必要に応じて、高さＨの異なる底部材１７を複数種類用意することにより、導入される雨水の量、地盤の性状等に適応した充填部材を容易に提供することができる。なお、充填部材本体１１の底面が無底又は有底のいずれでもよいこと及び格子の目１１ａの大きさ等は、図２に示した充填部材１と同様である。
【００１６】
また、図５に示した充填部材１は、組み合わせたとき平面正方形の四角柱状となるように、これを縦割りに２分割したブロックからなる筒状の充填部材本体１１と、充填部材本体１１の底部に配設する平面正方形の四角柱状の底部材１７と、充填部材本体１１の上面を閉鎖する蓋部材１３とで構成されている。
充填部材本体１１は、収容部１９を区画する内面１４と周囲の地盤６に接する外面１５とを、筒状の充填部材本体１１に形成した多数の透孔１１ｂ及び空隙１６を介して連通するように構成している。
充填部材本体１１には、その内部の空隙１６を仕切るように補強リブ１１ｃを形成するとともに、補強リブ１１ｃにも多数の透孔１１ｄを形成することが望ましい。
この充填部材の場合も、図４に示した充填部材１と同様、底部材１７の高さＨは、任意に設定することができ、必要に応じて、高さＨの異なる底部材１７を複数種類用意することにより、導入される雨水の量、地盤の性状等に適応した充填部材を容易に提供することができる。
なお、充填部材本体１１の底面が無底又は有底のいずれでもよいこと、蓋部材１３の構成及び透孔１１ｂの大きさ等は、図３に示した充填部材１と同様である。
【００１７】
ところで、充填部材１の形態は、図２〜図５に示したものに限定されるものではなく、例えば、充填部材の形状は、図６に示す充填部材１のように、組み合わせたとき平面円形の円柱状等、任意の形状とすることができ、また、充填部材の分割数は、同様に、４分割等、任意の数に、かつ任意の位置で分割することができ、さらに、分割方法も縦割り、横割りのいずれでもよいが、基本的には、雨水浸透ますの収容部を形成するとともに、この収容部を区画する内面と周囲の地盤に接する外面とを連通する空隙を形成することにより、雨水浸透ますに導入された雨水を、この充填部材の底面を含む周面から周囲の地盤中に浸透させることができる任意の形態を採用することができる。
【００１８】
ところで、充填部材本体１１を複数個のブロックに分割して形成する場合、図６に示す充填部材１のように、充填部材本体１１の隣接するブロックを相互に係止する係止部、例えば、係止突部１８ａと係止孔部１８ｂを、充填部材本体１１の接合面１８に形成することができる。
これにより、複数個のブロックに分割して形成した充填部材１を掘削孔内に正確に設置することができる。
なお、埋め戻された充填部材１には、周囲の地盤の土圧が作用し、地盤中で充填部材１が分離することがないため、係止部１８ａ，１８ｂは、充填部材１を掘削孔内に設置する際に複数個のブロックに分割して形成した充填部材１相互の係止が解除されない程度の係止強度を有するものであればよい。
【００１９】
【発明の効果】
本発明の雨水浸透設備用合成樹脂製充填部材によれば、雨水浸透設備を構築するに際して、基本的に、砕石や砂といった重量のある資材を必要とせず、取り扱いが容易で、このため、構築作業の労働負荷を軽減できるとともに、既成の部材を用いるため、施工精度及び作業効率を向上することができる。
【００２０】
また、雨水浸透設備用合成樹脂製充填部材を複数個のブロックに分割して形成することにより、充填部材の取り扱いをより容易にでき、このため、構築作業の労働負荷を軽減できる。
【００２１】
また、隣接するブロックを相互に係止する係止部をブロックの接合面に形成することにより、分割した雨水浸透設備用合成樹脂製充填部材を掘削孔内に正確に設置することができ、このため、施工精度及び作業効率をより一層向上することができる。
【図面の簡単な説明】
【図１】本発明の雨水浸透設備用合成樹脂製充填部材を用いた雨水浸透設備を示す構造図である。
【図２】本発明の雨水浸透設備用合成樹脂製充填部材の示す分解斜視図である。
【図３】本発明の雨水浸透設備用合成樹脂製充填部材の示す分解斜視図である。
【図４】本発明の雨水浸透設備用合成樹脂製充填部材の示す分解斜視図である。
【図５】本発明の雨水浸透設備用合成樹脂製充填部材の示す分解斜視図である。
【図６】本発明の雨水浸透設備用合成樹脂製充填部材を示し、（ａ）は平面図、（ｂ）は側面図、（ｃ）は（ｂ）のＩ−Ｉ線の断面図である。
【図７】従来の雨水浸透設備を示す構造図である。
【符号の説明】
１  雨水浸透設備用合成樹脂製充填部材
１１  充填部材本体
１４  内面
１５  外面
１６  空隙
１８  接合面
１８ａ  係止部
１８ｂ  係止部
１９  収容部
２  雨水浸透ます
３  透水シート
６  地盤
【図１】
0003542221.tif 000002
【図２】
0003542221.tif 000003
【図３】
0003542221.tif 000004
【図４】
0003542221.tif 000005
【図５】
0003542221.tif 000006
【図６】
0003542221.tif 000007
【図７】
0003542221.tif 000008